(57)【特許請求の範囲】
【請求項１】
グレンタンク（１）から送出される穀粒を揚送する縦オーガ（２）の上端に横オーガ（３）を連接して、この横オーガ（３）を該縦オーガ（２）の軸心回りに操縦者が手で旋回自在とする排穀オーガにおいて、該縦オーガ（２）の上部と下部とにこの旋回を係止する上・下ストッパー（４）、（５）を配置して構成し、さらに、前記横オーガ（３）の上下回動を操縦者が手で行う構成とし、横オーガ（３）の上下回動を係止するロック機構（４３）を設けるにあたり、該ロック機構（４３）は横オーガ（３）の水平位置よりも下方の回動域では、横オーガ（３）の下方への回動を牽制しない構成として、操縦者は手で横オーガ（３）の上下回動を調整しながら穀粒の排出を行う構成とし、前記ロック機構（４３）は横オーガ（３）の水平位置よりも上方位置の回動域（Ｕ）では下方への回動を牽制するように構成し、横オーガ（３）の揺動を防止して穀粒の排出を行うように構成したことを特徴とするコンバインの排穀オーガ。
【発明の詳細な説明】
【０００１】
【発明の属する技術分野】
この発明は、コンバインの排穀オーガに関する。
【０００２】
【発明が解決しようとする課題】
縦オーガ上端に横オーガを有して一体的に旋回しながら、排穀位置を選択する形態では、上部が横オーガの重量、或は慣性力等によって、正確な位置に停止し難く、旋回停止用のストッパーを設けても衝撃力で破損し易く、機械的に損傷を受け易い。また、横オーガからの穀粒の排出を容易に安定的に行うようにする。
【０００３】
【課題を解決するための手段】
この発明は、グレンタンク（１）から送出される穀粒を揚送する縦オーガ（２）の上端に横オーガ（３）を連接して、この横オーガ（３）を該縦オーガ（２）の軸心回りに操縦者が手で旋回自在とする排穀オーガにおいて、該縦オーガ（２）の上部と下部とにこの旋回を係止する上・下ストッパー（４）、（５）を配置して構成し、さらに、前記横オーガ（３）の上下回動を操縦者が手で行う構成とし、横オーガ（３）の上下回動を係止するロック機構（４３）を設けるにあたり、該ロック機構（４３）は横オーガ（３）の水平位置よりも下方の回動域では、横オーガ（３）の下方への回動を牽制しない構成として、操縦者は手で横オーガ（３）の上下回動を調整しながら穀粒の排出を行う構成とし、前記ロック機構（４３）は横オーガ（３）の水平位置よりも上方位置の回動域（Ｕ）では下方への回動を牽制するように構成し、横オーガ（３）の揺動を防止して穀粒の排出を行うように構成したことを特徴とするコンバインの排穀オーガの構成とする。
【０００４】
【発明の効果】
排穀オーガを収納位置から排穀位置へ回動するときは、操縦者が手で直接横オーガ３を縦オーガ２のオーガ軸の回りに回動させる。この縦オーガ２の上下位置には上・下ストッパー４，５があって、この上・下ストッパー４，５が共に係止されて、排穀位置に停止される。このとき上・下ストッパー４，５が同時に係止するため、縦オーガ２を上部と下部とで、応力を分散することができ、縦オーガ２やこれらの上・下ストッパー４，５等の変形を防止できる。しかも、構成が簡単である。また、横オーガ３の上下回動を係止するロック機構４３を設けるにあたり、ロック機構４３は横オーガ３の水平位置よりも下方の回動域では、横オーガ３の下方への回動を牽制しない構成としている。これにより、水平位置よりも下方においては、横オーガ３の上下回動を調整しながら穀粒の機外への排出が容易となる。また、ロック機構４３は横オーガ３の水平位置よりも上方位置の回動域Ｕでは下方への回動を牽制するように構成している。これにより、横オーガ３の揺動を防止できて、穀粒を安定的に排出可能となる。
【０００５】
【実施例】
コンバインは、クローラ６を有する車台７に、刈取装置から刈取搬送される穀稈を受けてフィードチエン８で挾持搬送しながら、脱穀する脱穀装置９、この脱穀装置９で脱穀された穀粒を揚穀機１０から横側のグレンタンク１へ取出す構成とし、フィードチエン８の終端へ搬送する脱穀済排稈は、後部の排稈室１１内の排稈装置１２によって穂先側後方へ排送されて排稈カッター１３へ排送しうる構成である。１４は、エンジンカバーである。
【０００６】
前記グレンタンク１の底部には、前後方向に沿う移送螺旋１５が設けられ、この後端にエルボ状の連接筒１６が設けられ、この連接筒１６に縦オーガ２が旋回自在に支持されている。又、この縦オーガ２の上端に横オーガ３を連結し、先端に排穀口１７が形成される。縦オーガ２は連接筒１６に対して縦方向のオーガ軸の回りに回動自在に支持され、上部は脱穀装置９後側の排稈室１１の穂先側壁にブラケット１８によって回動自在に支持される。又、横オーガ３は、この縦オーガ２の上端に対して上下回動可能にしてエアダンパー等に支持される。
【０００７】
前記グレンタンク１内に収容穀粒を取出すときは、移送螺旋１５を回転伝動することにより、縦オーガ２内及び横オーガ３内の各移送螺旋を連動して、グレンタンク１の底部から連接筒１６へ移送される穀粒が縦オーガ２内を揚送され、更に上端部から横オーガ３内を移送されて、排穀口１７から目的の位置へ取出される。
【０００８】
上ストッパー４は、縦オーガ２の外周面に固定されて、このストッパー４の回動を係止する固定ストッパー１９，２０が、前記排穀室１１側壁板部に固定されたブラケット１８に一体に配置され、この固定ストッパー１９，２０の配置によって縦オーガ２の旋回域、係止位置が決る。又、下ストッパー５は、前記縦オーガ２の下端部外周面に突設されて、この下ストッパー５の回動域の前後に連接筒１６に固定された固定ストッパー２１，２２が、前記上側の固定ストッパー１９，２０と同間隔位置に設けられる。
【０００９】
これら上・下ストッパー４，５は縦オーガ２と一体的に左右回動するが、この左右旋回の回動域Ａ，Ｂの限界位置では、上ストッパー４が左旋回Ａで固定ストッパー１９に係合すると、下ストッパー５は固定ストッパー２１に係合する。又、上ストッパー４が右旋回Ｂで固定ストッパー２０に係合すると、下ストッパー５は固定ストッパー２２に係合する。このように、上端に長くて重い横オーガ３を有する縦オーガ２が旋回位置を係止されるときは、上・下に適宜の間隔を有した上・下ストッパー４，５を固定ストッパー１９と２１とに、又はストッパー２０と２２とに同時係合させるため、確実に安定させた係止位置決めを行わせることができる。
【００１０】
図３において、前記縦オーガ２に対する横オーガ３の連接部に、横オーガ３の上下回動に抵抗力を支えるブレーキ２３を設けることにより、任意の位置で上下回動を止めることができるようにしたものであり、前記エアダンパーに代えるものである。
縦オーガ２と横オーガ３との連接部に、相対的に回動自在のフランジ２４，２５間に亘って、この一方のフランジ２４にはカムプレート２６を固定し、他方のフランジ２５にはばね材からなるブレーキ板２７を固定し、このブレーキ板２７でカムプレート２６の回動周縁を弾発して横オーガ３の下向回動に制動することができる。
【００１１】
図４において、前記横オーガ３のオーガ受２８に対する支持固定において、横オーガ３の揺動、乃至振動に対して、共振を防止するため、ロック機構２９にばね３０を設けたものである。
横オーガ３を収納位置に支持するオーガ受２８はグレンタンク１の上部に設けられ、この一側にこの横オーガ３の上下動や旋回等の移動を係止するロック機構２９のロックピン３１を係合できるロックボス３２を設けている。このロックピン３１は、横オーガ３の下面にばね３０を介して取付けられるピンホルダ３３に前後動及び回動自在に設けられ、ばね３４によって該ロックボス３２側へ弾発されている。このロックピン３１に一体のハンドル３５をばね３４に抗して前後に押し、引きすることによって、ロックボス３２に係合、離脱することにより、横オーガ３のオーガ受２８に対する固定や、固定解除を行うことができる。
【００１２】
このロックピン３１をロックボス３２に係止させた状態でも、機体の走行揺動によって、横オーガ３は上下左右等に揺動乃至振動しようとするが、横オーガ３に対するロックピン３１は、ばね３０を介在して取付けられているため、ロックピン３１のロックボス３２に対する係合は安定維持される。
図５において、横オーガ３の排穀口１７部に、ガイド杆３６を左右両側から中央部に向けて傾斜させて設け、排穀口１７下端から作業者の手が差込まれないようにして、安全を図る構成としている。ガイド杆３６の上端は排穀口１７の側壁面３７にボルト３８締めで取付けられるが、クランク状に曲げて下端部は前後に位置をずらせている。３９は移送螺旋である。
【００１３】
図６において、上例と異なる点は、排穀口１７に左右に回動して開閉するシャッター４０を設ける構成において、この排穀口１７の左右側壁面３７を、垂直状態よりも外側へ広く拡張Ｃさせて形成する。シャッター４０の支軸４１はこの側壁面３７の内側に設けられるが、この支軸４１の上側に案内板４２が設けられ、これら支軸４１や案内板４２等は、横オーガ３の幅Ｄよりも外側の拡張Ｃ部に位置して、排穀の邪魔にならないようにしている。
【００１４】
図７において、上例と異なる点は、横オーガ３の水平位置よりも下位の回動域には回動位置を係止するロック機構４３を設けないで、上位置の回動域Ｕでのみ下方への回動ができないように係止する。横オーガ３の排穀口１７部に袋ホルダー４４を設けて、袋口４５部を吊下げて、穀粒の袋詰めを行う構成としているときは、袋口４５を吊下げたまま袋底部を床面４６から浮上して、横オーガ３の揺動や撓み等を少なくする。
【００１５】
ロック機構４３は、横オーガ３側の前記フランジ２５に沿ってラック４７を、縦オーガ２側に一体のブラケット４８に回動自在に設けたラチェット爪４９を係合させることにより、この横オーガ３の下方への回動を係止する。このラック４７は、横オーガ３が水平位置Ｖ及びこれよりも下位にあるときは、ラチェット爪４９との係合領域外にある。又、この水平位置Ｖよりも上方の回動域Ｕにおいてラチェット爪４９と係合しうる。
【００１６】
図８において、前記グレンタンク１を、底部の移送螺旋１５を軸装した板金製の下部タンク５０と、この下部タンク５０上に接合する合成樹脂製の上部タンク５１とから構成し、この上部タンク５１は、ポリプロピレン製とするタンク基材５２の周面を、シンナーで洗浄して、溶剤で脱脂処理し、ウレタンで上塗５３したものである。
【００１７】
５４は下部タンク５０内の傘板である。５５は上部タンク５１上の前記揚穀筒１６をのぞませる供給口である。
【図面の簡単な説明】
【図１】  コンバインの排穀オーガ部の側面図。
【図２】  その平面図。
【図３】  一部別実施例を示す排穀オーガ部の側面図と、その一部の拡大側面図、背面図、及び平面図。
【図４】  一部別実施例を示す排穀オーガ部の側面図と、その一部の拡大側面図。
【図５】  一部別実施例を示す排穀オーガ部の側面図と、その一部の拡大正面図。
【図６】  一部別実施例を示す排穀オーガ部の側面図と、その排穀口部の正面図。
【図７】  実施例。
【図８】  一部別実施例を示すグレンタンク部の正面図。
【符号の説明】
１    グレンタンク
２    縦オーガ
３    横オーガ
４    上ストッパー
５    下ストッパー
４３    ロック機構
Ｕ      上方位置の回動域
【図１】
0003744072.tif 000002
【図２】
0003744072.tif 000003
【図３】
0003744072.tif 000004
【図４】
0003744072.tif 000005
【図５】
0003744072.tif 000006
【図６】
0003744072.tif 000007
【図７】
0003744072.tif 000008
【図８】
0003744072.tif 000009